(57)【要約】【課題】棒状部材の突き抜けを防止し、且つ軽量で設置や持ち運びが容易なアサガオ装置を提供する【解決手段】落下物を受け止めるために仮設足場に設置されるアサガオ装置であって、仮設足場の外面から斜め上方に突き出すように配置される一対の支持材と、一対の支持材によって無端状に張設される第１のシート材と、第１のシート材の内側に第１のシート材よりも撓んだ状態で取り付けられる第２のシート材とを備える。【選択図】図１
2018135743.tif 000002
【特許請求の範囲】
【請求項１】
落下物を受け止めるために仮設足場に設置されるアサガオ装置であって、
仮設足場の外面から斜め上方に突き出すように配置される一対の支持材と、前記一対の支持材によって無端状に張設される第１のシート材と、前記第１のシート材の内側に前記第１のシート材よりも撓んだ状態で取り付けられる第２のシート材とを備える、アサガオ装置。
【請求項２】
前記仮設足場の外面に固定される枠体をさらに備え、
前記枠体は、前記支持材の下端を前記支持材が延びる軸方向に移動可能な状態で受ける受け部材を備える、請求項１に記載のアサガオ装置。
【請求項３】
前記受け部材は角パイプであり、前記支持材は前記受け部材の外周を囲むように挿入される丸パイプである、請求項２に記載のアサガオ装置。
【請求項４】
前記第２のシート材と重ね合わせて前記第１のシート材の内側に前記第１のシート材よりも撓んだ状態で取り付けられるネット材をさらに備える、請求項１から３のいずれか１つに記載のアサガオ装置。
【請求項５】
前記ネット材と前記第１のシート材の間に前記第２のシート材が配置される、請求項４に記載のアサガオ装置。
【請求項６】
前記ネット材は、前記仮設足場の外面に平行な横方向の伸縮率の方が前記横方向に交差し斜め上方に延びる縦方向の伸縮率よりも大きくなるように配置される、請求項４又は５に記載のアサガオ装置。
【請求項７】
前記第１のシート材および前記第２のシート材はそれぞれ４隅にハトメ部を有し、
前記第１のシート材の前記ハトメ部と前記第２のシート材の前記ハトメ部のそれぞれが各紐材により結ばれている、請求項１から３のいずれか１つに記載のアサガオ装置。
【請求項８】
前記第１のシート材および前記第２のシート材はそれぞれ４隅にハトメ部を有し、
前記第１のシート材の前記ハトメ部と前記第２のシート材の前記ハトメ部のそれぞれが各紐材により結ばれており、前記各紐材は前記ネット材に通されている、請求項４から６のいずれか１つに記載のアサガオ装置。
【請求項９】
落下物を受け止めるために仮設足場に設置されるアサガオ装置であって、
仮設足場の外面に一端が固定され、斜め上方に突き出した枠体と、この枠体内に張設されたシート材と、このシート材と重ね合わせて枠体内に配置されたネット材とを備えたことを特徴とするアサガオ装置。
【請求項１０】
前記シート材が、繊維シートと合成樹脂とを貼り合わせた可撓性シート材である請求項９に記載のアサガオ装置。
【請求項１１】
前記ネット材が、少なくとも角部でシート材に固定されている請求項９または１０に記載のアサガオ装置。
【請求項１２】
前記枠体より下方の仮設足場に一端が取り付けられ、他端が枠体に取り付けられて枠体を下方から支持した支持部材を有する請求項９〜１１のいずれかに記載のアサガオ装置。
【請求項１３】
前記シート材は、２つの支持材間に架け渡されており、これらの支持材は、前記枠体の２つの縦枠内にそれぞれ着脱可能に取り付けられている請求項９〜１２のいずれかに記載のアサガオ装置。
【請求項１４】
仮設足場の出隅部において、仮設足場の出隅部に一端が固定された複数の支持材が斜め上方に突き出した状態で扇状に並設され、各支持材にまたがってシート材と、このシート材に重ね合わせたネット材とが架け渡されていることを特徴とするアサガオ装置。
【発明の詳細な説明】
【技術分野】
【０００１】
本発明は、中高層建築物の建設または補修工事の現場において、仮設足場から資材や工具等が地面に落下するのを防止するために、仮設足場の外面に斜め上方に突き出すように設置されるアサガオ装置に関する。
【背景技術】
【０００２】
従来から、建築現場等の仮設足場には、落下した資材や工具等の落下物が下の通行人等に当たらないように受け止めるためのアサガオが、仮設足場から斜め上方に張り出して設置されている。このようなアサガオは、仮設足場の外側に、所定の間隔で複数の支持材を取り付け、この支持材の間に、落下物等を受け止めるための主にアルミ、スチール等の金属板や、繊維強化プラスチック板等のパネルを敷設したものである（特許文献１）。また、パネルの代わりに、より軽量なシート材を用いたアサガオもある（特許文献２）。
【０００３】
特許文献１のようなアサガオに用いられるパネルは、金属板や繊維強化プラスチック板などを用いており強度があるが、嵩張るため、持ち運びや設置作業等において作業効率が劣るという問題がある。
特許文献２のようなシート材を用いたアサガオは、パイプ（単管）などの金属製の棒状部材がその端面を下にして上方から落下した場合、シート材を突き抜けてしまうおそれがある。
また従来より、ＦＲＰ製のパネルをアサガオに用いることが知られている。しかしながら、ＦＲＰ製のパネルでは、パイプが突き抜けない場合でもパネルの表面でパイプが跳ねてアサガオの外側に落ちてしまう。このように、安全性の観点で改善の余地があった。
【先行技術文献】
【特許文献】
【０００４】
【特許文献１】実開平７-４２８４３号公報
【特許文献２】特開平７-２０７９５２号公報
【発明の概要】
【発明が解決しようとする課題】
【０００５】
本発明の課題は、棒状部材の突き抜けを防止し、且つ軽量で設置や持ち運びが容易なアサガオ装置を提供することである。
【課題を解決するための手段】
【０００６】
上記目的を達成するために、本発明のアサガオ装置は、落下物を受け止めるために仮設足場に設置されるアサガオ装置であって、仮設足場の外面から斜め上方に突き出すように配置される一対の支持材と、前記一対の支持材によって無端状に張設される第１のシート材と、前記第１のシート材の内側に前記第１のシート材よりも撓んだ状態で取り付けられる第２のシート材とを備える。
【０００７】
また、本発明の別のアサガオ装置は、落下物を受け止めるために仮設足場に設置されるアサガオ装置であって、仮設足場の外面に一端が固定され、斜め上方に突き出した枠体と、この枠体内に張設されたシート材と、このシート材と重ね合わせて枠体内に配置されたネット材とを備える。
【０００８】
また、本発明のさらに別のアサガオ装置は、仮設足場の出隅部において、仮設足場の出隅部に一端が固定された複数の支持材が斜め上方に突き出した状態で扇状に並設され、各支持材にまたがってシート材と、このシート材に重ね合わせたネット材とが架け渡されている。
【発明の効果】
【０００９】
本発明のアサガオ装置は、持ち運び時や保管時にはシート材を小さく折り畳むことができるので、従来のような金属板や繊維強化プラスチック板に比べて、持ち運びや保管を容易に行うことができる。さらに、第１のシート材の内側に第１のシート材よりも撓んだ状態で第２のシート材を取り付ける、あるいは、シート材と重ね合わせてネット材を枠体内に配置しているので、棒状部材の突き抜けを防止することができる。また、現場において、取り付けや取り外しも簡単である。
【図面の簡単な説明】
【００１０】
【図１】本発明の一実施形態に係るアサガオ装置を示す斜視図である。
【図２】（ａ）は本発明の一実施形態に係る枠体固定金具の平面図であり、（ｂ）はその側面図である。
【図３】本発明のアサガオ装置に係るシート材を示す平面図である。
【図４Ａ】（ａ）〜（ｄ）は本発明の一実施形態に係るアサガオ装置の組み立て手順を示す説明図である。
【図４Ｂ】角パイプと支持材を示す概略斜視図
【図４Ｃ】角パイプの概略斜視図
【図４Ｄ】ネット材の概略図
【図５】図３のｘ−ｘ線断面図である。
【図６】本発明の別の実施形態に係るアサガオ装置を示す平面図である。
【図７】本発明の別の実施形態に係るアサガオ装置の詳細を示す平面図である。
【図８】本発明の別の実施形態に係る支持材固定金具を示す平面図である。
【図９】実施形態２のアサガオ装置の概略断面図
【図１０】実施形態２のアサガオ装置の部分拡大斜視図
【図１１】第１のシート材の概略平面図
【図１２】第２のシート材の概略平面図
【図１３】落下物が落下した後のアサガオ装置を示す概略断面図
【発明を実施するための形態】
【００１１】
（実施形態１）
＜アサガオ装置１０＞
以下、実施形態１のアサガオ装置について、図面を参照して説明する。図１に示すように、実施形態１に係るアサガオ装置１０は、主としてビルやマンション等の中高層建築物の建設または補修工事の現場において、資材や工具等の落下物を受け止めるために仮設足場に設置されるものであり、仮設足場の支柱１０１に一端が固定されて斜め上方に突き出した、縦枠５１と横枠５２とからなる枠体５と、この枠体５内に張設されたシート材１２と、シート材１２の下部に設けたネット材１３とを備える。
【００１２】
図１に示すように、シート材１２を囲むように取り付けられる枠体５は仮設足場の外面に複数並設され、使用時には水平面に対して上向きに傾斜している。
枠体５は断面リップ溝型の縦枠５１と横枠５２とからなる。縦枠５１は、上面に枠体５を上方から保持する吊材４を接続するための吊り金具４１が設けられ、下面には枠体５を下方から支持する支持部材３を取り付けるための支持部材取付金具３３が設けられる。枠体５は仮設足場の外面に枠体固定金具１５により取り付けられる。このような枠体５の材質は特に制限されないが、軽量で強度のあるものが好ましく、例えばアルミ、スチール等の金属が好ましい。
【００１３】
枠体５を仮設足場の支柱１０１と接続する枠体固定金具１５は、図２（ａ）に示すように、隣り合う枠体５、５の間に設置され、支柱１０１に固定するクランプ１６と、貫通孔２０を有するコ字型の枠体取付金具１７と、この枠体保持金具１７とピン１８で回動可能に接続される枠体回転金具１９により構成される。この枠体回転金具１９は、枠体５の両端に取り付けられたＬ字型の金板であり、短手側にピン１８を挿通する貫通孔２０を有する。図２（ａ）および（ｂ）に示すように、枠体取付金具１７と、隣り合う２つの枠体５５の各枠体回転金具１９とは、ピン１８で固定される。その際、隣り合う枠体５、５は所定の間隙（例えば１５〜３５ｃmの間隔）を有する。この間隙は強風時等に隣り合う枠体同士が接触し破損するのを防止するためである。このように枠体固定金具１５は、枠体取付金具１７と、この間に挟持された２つの枠体回転金具１９とをピン１８によりそれぞれの貫通孔２０を挿通されて固定するので、枠体５、５同士に適切な間隙を持たせて上下方向へ回動させることができる。
【００１４】
図１に示すように、シート材１２は枠体５内（枠体５で固まれた面）に張設され落下物を受け止める役割を有する。シート材１２は、２つの支持材１１、１１間に少なくとも１重張設されるか、あるいは２つの支持材１１、１１間に架け渡された無端状のものであってもよい（図４Ａ（ａ）参照）。シート材１２は、例えば、繊維シートと合成樹脂とを貼り合わせた可撓性シートであるのが好ましく、具体的にはポリエステルの織物に塩化ヒ手ニールを貼り合わせたターポリン等が挙げられる。シート材１２は例えば、小さな孔を規則的に多数形成したものであってもよい。
【００１５】
図３に示すように、シート材１２には、有節または無節のネット材１３が重ね合わせて配置される。有節のネット材１３としては、交差する糸同士を結んだ結び目のあるネット材であり、例えば漁網、養生ネットなどが挙げられる。また、無節のネット材１３としては、糸を所定の網目となるように編んだものである。本開示ではいずれを用いてもよい。このようなネット材１３は、網目は５〜３０ｍｍ目程度、糸の線径は１〜５ｍｍφ程度であるのがよい。シート材１２をネット材１３で補強すれば、落下物、特に棒状部材（例えばパイプなどの単管）が仮設足場よりアサガオ装置１０へ落下した際に突き破ることを防止することができる。ネット材１３の設置位置は、シート材１２に重ね合わせて配置され、２つの支持材１１，１１間に張設されていれば特に限定されず、シート材１２の上面、下面あるいは両面に設けてもよい。ネット材１３はシート材１２に少なくとも１重設けてあればよいが、２重以上であってもよい。ネット材１３は、支持材１１、１１間で位置がずれないように保持されるために、支持材１１との摩擦力が大きい方がよく、支持材１１との接触点が複数あるのがよい。
【００１６】
ネット材１３は、シート材１２が、２つの支持材１１、１１問に架け渡された無端状である場合、シート材１２の内周面側（図５参照）またはシート材１２の外周面側（図示せず）に設けられていてもよい。
【００１７】
ネット材１３は、例えば縫合や接着などの固定手段で、その全周囲または少なくとも周囲の一部がシート材１２に固定されているのがよい。アサガオ装置１０では、シート材１
２およびネット材１３により落下物を受け止めるため、固定手段の表面積が小さい程、その効果が上がる。特にシート材１２の略中央部は固定手段が無い方がよい。固定手段は特に限定されないが、強度、軽量およびコスト面から、シート材１２の一方の面から当て板１４を当てた状態で、少なくとも角部を縫合する方法がよい。この当て板１４としては軽量で強度のある板材がよく、例えばシート材１２と同じシート材や、その他の樹脂、軽金属、木などの板材が用いられるのがよい。さらに、図５に示すように、シート材１２の略中央部においてネット材１３は下方向に撓みがあってもよい。この撓みにより上方から落下した棒状部材が、よりシート材１２を突き破りにくくすることができる。
【００１８】
図３に示すように、ネット材１３には縦方向または横方向の両辺を繋ぐ紐材１３１が少なくとも１本、好ましくは２本設けられるのがよい。紐材１３１はネット材１３の撚りや携みを防止するためのものであり、この紐材１３１を両方向に引っ張ることで容易に調整を行うことができる。これにより、ネット材１３がシート材１２と重なっていない面積を少なくすることができる。なお、ネット材１３の調整の後は、紐材１３１は、シート材１２の上面に露出しなければよく、例えばネット材１３の下部や端部に束ねておけばよい。紐材１３１としては、例えばロープ、ワイヤなどが使用される。
【００１９】
支持材１１は、棒状または筒状部材であり、図３に示すように２つの支持材１１間に、ネット材１３を下部に設けたシート材１２を架け渡すように張った後、それぞれ縦枠５１内に着脱可能に取り付けられる（図４Ａ（ｂ）参照）。支持材１１の形状は特に制限されないが軽量で強度のあるものが好ましく、材質としてはアルミ、スチール、ＦＲＰ（繊維強化プラスチック）などが挙げられる。
【００２０】
枠体５は、図１に示すように下方から支持部材３によって支持される。この支持部材３は、一端が枠体５の枠体固定金具１５より下方の支柱１０１に支持部材固定金具３５で取り付けられ、他端が枠体５の縦枠５１に設けた支持部材取付金具３３に取り付けられる。
【００２１】
枠体５は、図１に示すように上方から吊材４によって保持される。この吊材４は、図１に示すように、一端が枠体５より上方の仮設足場に取り付けられ、他端が枠体５の縦枠５１に吊り金具４１で連結されている。吊材４としては例えばワイヤ、ロープなどが使用される。
【００２２】
前記枠体５は、以下の図４Ａ（ａ）〜（ｄ）に示す手順にてシート材１２を張設し、仮設足場に取り付けられる。なお、説明上、枠体５の横枠５２は、枠体固定金具１５を取り付けた着端側を下枠５２１、先端側を上枠５２２とした。
（Ｉ）図４Ａ（ａ）に示すように、まず２本の支持材１１、１１間へ無端状のシート材１２を架け渡す。このとき、シート材１２の一方の面（裏面）にはネット材１３が設けてある。
（ＩＩ）次に、図４Ａ（ｂ）に示すように、シート材１２を張った支持材１１、１１を、それぞれ縦枠５１内に飯入して取り付け、枠体固定金具１５を取り付けた下枠５２１両端に立設した角パイプ５４に前記支持材１１、１１を挿し込み、縦枠５１と下枠５２１にそれぞれ設けたねじ穴２１（図２（ａ）参照）を挿通させたねじ５５で固定する。この時、縦枠５１には予め支持部材３を接続していてもよい。
（ＩＩＩ）次に、図４Ａ（ｃ）に示すように、下枠５２１に立設した時と同様の角パイプ５４’を立設した上枠５２２を支持材１１の上部から挿し込み、側面からねじ５５で固定して、シート材１２を保持して枠材５を得る（図４Ａ（ｄ））。
（ＩＶ）図４Ａ（ｄ）に示す枠体５を、図１に示すように、枠体５の下方の仮設足場の支柱１０１に支持部材３の基端部の支持部材固定金具３５を取り付ける。次に、縦枠５１の吊り金具４１に吊材４を取り付けて、枠体５の取り付けは完了する。アサガオ装置１０を撤去する時には前述した手順を逆に行えばよい。
【００２３】
ここで、角パイプ５４と支持材１１の関係について、図４Ｂ、４Ｃを用いて説明する。図４Ｂは、角パイプ５４と支持材１１を示す概略斜視図である。図４Ｃは、角パイプ５４単体の概略斜視図である。
【００２４】
図４Ｂに示すように、角パイプ５４に挿入される支持材１１は中空状の丸パイプである。支持材１１は、角パイプ５４の外周を囲むように挿入される。支持材１１の内径Ｄ１は、角パイプ５４の外径Ｄ２よりも大きく設定される。挿入後の状態においては、支持材１１と角パイプ５４は互いに固定されず、それぞれの間に移動可能な隙間が空いている。このように角パイプ５４は、支持材１１の下端を、支持材１１が延びる軸方向Ｃに移動可能な状態（非固定状態）で受ける受け部材として機能する。角パイプ５４に限らず、他の形態の受け部材を用いてもよい。
【００２５】
このような構成では、支持材１１と角パイプ５４が強固に固定される場合に比べて、支持材１１と角パイプ５４の接続箇所の節点剛性が低くなり、支持材１１と角パイプ５４が独自に弾性変形しやすい。シート材１２の上に落下物が衝突した際には、落下物の衝撃を吸収するように支持材１１と角パイプ５４が弾性変形して緩衝機能を発揮する。これにより、シート材１２とネット材１３を柔軟に撓ませることができ、落下物による衝撃をやわらげることができる。このようにしてシート材１２とネット材１３を破れにくくすることができる。
【００２６】
特に支持材１１として角パイプではなく丸パイプを用いることで、角パイプ５４との接触面積が減り、節点剛性を低くすることができる。
【００２７】
図４Ｃに示すように、角パイプ５４の先端には切欠き５４Ａが形成されている。切欠き５４Ａを形成することで、角パイプ５４の先端から丸パイプの支持材１１を挿入する際に容易に挿入することができる。
【００２８】
図４Ｃに示すように、角パイプ５４はＬ字状の板材５６に溶接されている。板材５６には、第１のボルト挿通孔５６Ａと、第２のボルト挿通孔５６Ｂとが形成されている。第１のボルト挿通孔５６Ａには、前述した縦枠５１を板材５６に取り付けるためのボルト５５を挿通するネジ孔である。第２のボルト挿通孔５６Ｂは、板材５６を横枠５２１に取り付けるためのボルト（図示せず）を挿通する孔である。
【００２９】
次に、ネット材１３について図４Ｄを用いて説明する。図４Ｄは、ネット材１３を示す概略図である。
【００３０】
図４Ｄに示すように、ネット材１３は、横方向Ａと縦方向Ｂとを有する。実施形態１のネット材１３は異方性のものが用いられており、横方向Ａと縦方向Ｂで異なる伸縮率を有する。実施形態１では特に、横方向Ａの伸縮率が縦方向Ｂの伸縮率よりも高いネット材１３を用いている。このようなネット材１３は例えば、ネット材１３を構成する紐材のそれぞれを縦方向Ｂに沿って波状に延在させながら互いに交差させることで作ることができる。なお「伸縮率」とは、ネット材１３を同じ力で伸縮させたときに全長に対して伸縮する長さの割合である。
【００３１】
このような構成において、ネット材１３およびシート材１２を仮設足場に配置する際には、ネット材１３の横方向Ａが仮設足場の外面に沿った水平方向に概ね一致し、縦方向Ｂが支持材１１の延びる斜め上方向に概ね一致するように配置する。このような配置によれば、横方向Ａではネット材１３の高さ位置は変化しないため、ネット材１３の伸縮は生じないのに対して、縦方向Ｂにおいてはネット材１３の高さ位置が変化する。一方で、前述したようにネット材１３は縦方向Ｂには伸縮しにくい構成であるため、縦方向Ｂの高さ位置が変化しても伸縮は抑制される。このような配置により、ネット材１３の横方向Ａと縦方向Ｂの変形を押さえることができるため、ネット材１３の全体的な変形を抑制することができ、ネット材１３を所望の形状に保持することができる。
【００３２】
＜出隅部のアサガオ装置１０’＞
次に図６〜８を参照して、仮設足場の出隅部Ｄに取り付けるアサガオ装置１０’を説明する。なお、前記アサガオ装置１０と同じ部材を用いるものには同一の符号を付して説明を省略する。
図６，７に示すように、このアサガオ装置１０’は、仮設足場の出隅部Ｄに一端が固定された複数の支持材１１が、仮設足場から斜め上方に突き出した状態で扇状に並設され、各支持材１１にまたがってシート材１２’が架け渡されている。なお、シート材１２と同様に、シート材１２’の少なくとも一方の面にはネット材１３が設けられている。このアサガオ装置１０’は、前記アサガオ装置１０と同様に、仮設足場から外面上方に突き出した支持材１１に張設された扇状のシート材１２’が、使用時には水平面に対して上向きに傾斜している。
【００３３】
図６、７に示すように、支持材１１は、仮設足場の出隅部Ｄに取り付けられた支持材固定金具２５に一端が固定され、斜め上方に突き出した状態で、扇状に複数が所定の間隔で並設される。この複数の支持材１１にはシート材１２’が跨って架け渡される。また、アサガオ装置１０’の両端の支持材１１には、後述するコーナー用縦枠６が着脱可能に取り付けられる。
【００３４】
図６に示すように、アサガオ装置１０’の両端の支持材１１は、断面リップ溝型のコーナー用縦枠６内にそれぞれ猷入して取り付けられる。このコーナー用縦枠６により、シート材１２’はアサガオ装置１０’の両端部の支持材１１に固定されている。なお、コーナー用縦枠６の支持材１１およびシート材１２’への取り付け方の詳細および材質は、アサガオ装置１０の縦枠５１と同様であるので省略する。また、コーナー用縦枠６には、枠体５と同様に、下方から支持する支持部材３と連結するための支持部材取付金具３３や、上方から保持する吊材４と連結するための吊り金具４１等を設けていてもよい。
【００３５】
アサガオ装置１０’に用いられるシート材１２’は、仮設足場の出隅部Ｄに取り付けられた支持材固定金具２５により一端が固定された複数の支持材１１にまたがって架け渡され、扇状の形状を有する。シート材１２’の少なくとも一方の面にはネット材１３が設けられる。シート材１２’およびネット材１３は、隣り合う支持材１１、１１間において、上下を繕い合わせて接合してもよい。
【００３６】
支持材固定金具２５は、図８に示すように、図１、２に示すアサガオ装置１０の枠体５の端部を保持する枠体取付金具２５２と、仮設足場の出隅部Ｄの支柱１０１’に複数の支持材１１を取り付けるためのクランプ２５１と、このクランプ２５１に取り付けられる扇状取付金具２５３と、この扇状取付金具２５３に所定間隔で取り付けられ複数の支持材１１を受ける受け金具２５４、２５４’とを備え、両端の受け金具２５４’は９０°の間隔に保持される。
【００３７】
枠体取付金具２５２は、クランプ２５１の両側９０°の開き角度で設置され、前記枠体固定金具１５の枠体取付金具１７とピン（図示せず）で連結される貫通孔２５０を有する。
【００３８】
扇状取付金具２５３は、両端部の支持材１１を受ける受け金具２５４’を９０°に保持するために、前記枠体取付金具２５２の前方に取り付けられる。
【００３９】
扇状取付金具２５３は前方にアーチ形バー２５６が取り付けられ、複数の受け金具２５４を所定の間隔で保持している。
【００４０】
受け金具２５４、２５４’は、支持材１１の端部を受ける有底筒形の部材であり、底部に設けた脚部２５７にアーチ形バー２５６が挿通する貫通孔２５５を有する。この状態で受け金具２５４、２５４’は前記アーチ形バー２５６に所定間隔でかつ回動自在に保持されている。
受け金具２５４に支持材１１を取り付けるには、支持材１１の端部を受け金具２５４に挿し込むだけでもよく、あるいはネジ止めまたはリベット止め等を行えばよい。
【００４１】
このように実施形態１のアサガオ装置は、仮設足場の全周にわたりシート材１２、１２’およびネット材１３を用いているので、上方からの落下物、特に棒状部材がシート材を突き抜けることなく、且つ軽量で、持ち運びし易く、設置作業も容易に行うことができる。
【００４２】
（実施形態２）
本発明に係る実施形態２のアサガオ装置について、図９―図１３を用いて説明する。なお、実施形態２では、主に実施形態１と異なる点について説明する。また、同一又は同等の構成については同じ符号を付して説明を省略する。
【００４３】
図９は、実施形態２のアサガオ装置７０の概略断面図である。実施形態２のアサガオ装置７０は、第１のシート材１２およびネット材１３に加えて、第２のシート材７２をさらに備える点が、実施形態１のアサガオ装置１０と異なる。
【００４４】
第２のシート材７２は、第１のシート材１２とネット材１３の間に配置されるシート状の部材である。第２のシート材７２は、ネット材１３と同様に落下物による衝撃を吸収する機能を有する。図９に示すように、第２のシート材７２はネット材１３と重ね合わせて第１のシート材１２内に配置される。第２のシート材７２はネット材１３と同様に、第１のシート材１２よりも撓んだ状態で配置される。このようにネット材１３だけでなく第２のシート材７２も撓ませることにより、衝撃吸収の機能を向上させることができる。
【００４５】
実施形態２における第２のシート材７２の材質は、第１のシート材１２の材質と同じである。
【００４６】
第１のシート材１２、第２のシート材７２およびネット材１３の取付形態について、図１０−図１２を用いて説明する。図１０は、アサガオ装置７０の部分拡大斜視図であり、図１１は、第１のシート材１２の概略平面図であり、図１２は、第２のシート材７２の概略平面図である。
【００４７】
図１０に示すように、第１のシート材１２および第２のシート材７２のそれぞれには、ハトメ部１２Ａおよびハトメ部７２Ａが設けられている。ハトメ部１２Ａ、ハトメ部７２Ａは、それぞれのシート材に形成した貫通孔の周囲にハトメ金具（図示省略）を取り付けたものである。
【００４８】
図１０に示すように、ハトメ部１２Ａ、７２Ａの両方に紐材７４が挿通されている。紐材７４はネット材１３にも通されている。この状態で紐材７４は結束されている。紐材７４によって、第１のシート材１２、第２のシート材７２およびネット材１３を互いに結びつけることができる。このようなハトメ部１２Ａ、７２Ａおよび紐材７４による取付方法によれば、第２のシート材７２とネット材１３を撓ませた状態で配置しながら、取付けを行うことができる。
【００４９】
図１１に示すように、第１のシート材１２において、ハトメ部１２Ａは第１のシート材１２の表面における４隅に設けられている。同様に、第２のシート材７２におけるハトメ部７２Ａは図１２に示すように、第２のシート材７２の４隅に設けられている。このようにハトメ部１２Ａ、７２Ａを４隅に設けて、紐材７４で第２のシート材７２およびネット材１３を結びつけることで、第２のシート材７２およびネット材１３を撓ませた状態で所望の形状に保持することができる。
【００５０】
次に、アサガオ装置７０によって落下物を受け止める方法について、図１３を用いて説明する。図１３は、落下物が落下した後のアサガオ装置７０を示す概略断面図である。
【００５１】
図１３に示す例では、落下物として先端の鋭利な単管７６を例示する。図１３に示すように、鉛直方向Ｈに落下してきた単管７６はまず、第１のシート材１２に接触する。第１のシート材１２は支持材１１によって張設されており、張力の高い状態で保持されている。よって、単管７６は第１のシート材１２を貫通する。このように第１のシート材１２を介在させることで、落下してきた単管７６の速度が弱まる。
【００５２】
一方で、第２のシート材７２およびネット材１３は撓んだ状態で保持されており、第１のシート材１２よりも大幅に低い張力で保持されている。このため、第２のシート材７２およびネット材１３は変形しやすく大きく撓むことができる。第１のシート材１２を貫通した単管７６は第２のシート材７２とネット材１３の弾力によって受け止められる。
【００５３】
第２のシート材７２およびネット材１３という異材質のものを組み合わせることで、シート材を２枚重ねる、あるいは、ネット材を２枚重ねる場合よりも、落下物が貫通しにくく、高い弾力性を実現することができる。このようにして落下物の突き抜けを効果的に防止することができる。
【００５４】
また、落下物の進行方向である鉛直方向Ｈに対して、第２のシート材７２を表側に配置し、ネット材１３を裏側にしている。このような配置により、弾力の高いネット材１３による撓みを利用しながら、表面積の広い第２のシート材７２で落下物を受け止めて、突き破りを効果的に防止することができる。
【００５５】
また、第２のシート材７２およびネット材１３で落下物を受け止めることができるため、ＦＲＰ製のパネルのように落下物が跳ねてアサガオの外側に落ちてしまうことを防止することができる。これにより、安全性を向上させることができる。
【００５６】
なお、上記実施形態２では、第１のシート材１２、第２のシート材７２およびネット材１３を設ける場合について説明したが、このような場合に限らない。例えばネット材１３を省略して、第１のシート材１２、第２のシート材７２のみを設ける場合であってもよい。このような場合であっても、第１のシート材１２に対して第２のシート材７２を撓ませた状態で配置することで、第２のシート材７２によって落下物の突き抜けを効果的に防止することができる。
【００５７】
以上、本発明の実施形態に係るアサガオ装置を詳細に説明したが、本発明は、以上の実施形態に限定されるものではなく、特許請求の範囲に記載の範囲内で種々の改良や変更が可能である。
【符号の説明】
【００５８】
３  支持部材
４  吊材
５  枠体
６  コーナー用縦枠
１０、１０’  アサガオ装置
１１  支持材
１２、１２’  シート材
１２Ａ  ハトメ部
１３  ネット材
１３１  紐材
１４  当て板
１５  枠体固定金具
１６、２５１  クランプ
１７、２５２  枠体取付金具
１８  ピン
１９  枠体回転金具
２０，２５５，２５５’  貫通孔
２１  ねじ穴
２５  支持材固定金具
３３  支持部材取付金具
３５  支持部材固定金具
４１  吊り金具
５１  縦枠
５２  横枠
５２１  下枠
５２２  上枠
５４、５４’  角パイプ（受け部材）
５４Ａ  切欠き
５５  ねじ
５６  板材
５６Ａ  第１のボルト挿通孔
５６Ｂ  第２のボルト挿通孔
７０  アサガオ装置
７２  第２のシート材
７２Ａ  ハトメ部
７４  紐材
７６  単管（落下物）
２５３  扇状取付金具
２５４、２５４’  受け金具
２５６  アーチ形バー
２５７  脚部
１０１，１０１’  支柱
【図１】
2018135743.tif 000003
【図２】
2018135743.tif 000004
【図３】
2018135743.tif 000005
【図４Ａ】
2018135743.tif 000006
【図４Ｂ】
2018135743.tif 000007
【図４Ｃ】
2018135743.tif 000008
【図４Ｄ】
2018135743.tif 000009
【図５】
2018135743.tif 000010
【図６】
2018135743.tif 000011
【図７】
2018135743.tif 000012
【図８】
2018135743.tif 000013
【図９】
2018135743.tif 000014
【図１０】
2018135743.tif 000015
【図１１】
2018135743.tif 000016
【図１２】
2018135743.tif 000017
【図１３】
2018135743.tif 000018
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
落下物を受け止めるために仮設足場に設置されるアサガオ装置であって、
仮設足場の外面から斜め上方に突き出すように配置される一対の支持材と、前記一対の支持材によって無端状に張設される第１のシート材と、前記第１のシート材の内側に前記第１のシート材よりも撓んだ状態で取り付けられる第２のシート材とを備える、アサガオ装置。
【請求項２】
前記仮設足場の外面に固定される枠体をさらに備え、
前記枠体は、前記支持材の下端を前記支持材が延びる軸方向に移動可能な状態で受ける受け部材を備える、請求項１に記載のアサガオ装置。
【請求項３】
前記受け部材は角パイプであり、前記支持材は前記受け部材の外周を囲むように挿入される丸パイプである、請求項２に記載のアサガオ装置。
【請求項４】
前記第２のシート材と重ね合わせて前記第１のシート材の内側に前記第１のシート材よりも撓んだ状態で取り付けられるネット材をさらに備える、請求項１から３のいずれか１つに記載のアサガオ装置。
【請求項５】
前記ネット材と前記第１のシート材の間に前記第２のシート材が配置される、請求項４に記載のアサガオ装置。
【請求項６】
前記ネット材は、前記仮設足場の外面に平行な横方向の伸縮率の方が前記横方向に交差し斜め上方に延びる縦方向の伸縮率よりも大きくなるように配置される、請求項４又は５に記載のアサガオ装置。
【請求項７】
前記第１のシート材および前記第２のシート材はそれぞれ４隅にハトメ部を有し、
前記第１のシート材の前記ハトメ部と前記第２のシート材の前記ハトメ部のそれぞれが各紐材により結ばれている、請求項１から３のいずれか１つに記載のアサガオ装置。
【請求項８】
前記第１のシート材および前記第２のシート材はそれぞれ４隅にハトメ部を有し、
前記第１のシート材の前記ハトメ部と前記第２のシート材の前記ハトメ部のそれぞれが各紐材により結ばれており、前記各紐材は前記ネット材に通されている、請求項４から６のいずれか１つに記載のアサガオ装置。
【請求項９】
落下物を受け止めるために仮設足場に設置されるアサガオ装置であって、
仮設足場の外面に一端が固定され、斜め上方に突き出した枠体と、この枠体内に張設されたシート材と、このシート材と重ね合わせて枠体内に配置されたネット材とを備え、
前記ネット材は、伸縮性を有し、前記仮設足場の外面に平行な横方向の伸縮率の方が前記横方向に交差し斜め上方に延びる縦方向の伸縮率よりも大きくなるように配置されることを特徴とするアサガオ装置。
【請求項１０】
前記シート材が、繊維シートと合成樹脂とを貼り合わせた可撓性シート材である請求項９に記載のアサガオ装置。
【請求項１１】
前記ネット材が、少なくとも角部でシート材に固定されている請求項９または１０に記載のアサガオ装置。
【請求項１２】
前記枠体より下方の仮設足場に一端が取り付けられ、他端が枠体に取り付けられて枠体を下方から支持した支持部材を有する請求項９〜１１のいずれかに記載のアサガオ装置。
【請求項１３】
前記シート材は、２つの支持材間に架け渡されており、これらの支持材は、前記枠体の２つの縦枠内にそれぞれ着脱可能に取り付けられている請求項９〜１２のいずれかに記載のアサガオ装置。
【請求項１４】
仮設足場の出隅部において、仮設足場の出隅部に一端が固定された複数の支持材が斜め上方に突き出した状態で扇状に並設され、各支持材にまたがってシート材と、このシート材に重ね合わせたネット材とが架け渡されており、
前記ネット材は、伸縮性を有し、前記仮設足場の外面に平行な横方向の伸縮率の方が前記横方向に交差し斜め上方に延びる縦方向の伸縮率よりも大きくなるように配置されることを特徴とするアサガオ装置。